(57)【特許請求の範囲】
【請求項１】
前面に開口を設け、上面等に排気口を形成した箱状で内部に送風機および送風機の吸込口を設けた本体と、この本体の上部から前方に突出して前記開口の上方を覆うトップフードと、このトップフードの下方の前端部および両側端部との間に隙間を設けて本体吸込口を形成するように設けられる整流板と、前記本体吸込口と送風機の吸込口間に形成される通風路に配設されるフィルターとを備え、前記本体吸込口を形成するトップフードと整流板のうち少なくとも整流板に形成し斜め上方の内側に向かうガイド壁と、前記送風機の吸込口の前方に、前記本体の下面から前記整流板に向かい上方が前方に突出するように傾斜したフロントパネルとを設けたレンジフード。
【請求項２】
フロントパネルと整流板との間に副吸込口を形成した請求項１記載のレンジフード。
【請求項３】
副吸込口の風下側に、フィルターを前方側が低く後方側が高くなるように配設した請求項２載のレンジフード。
【請求項４】
副吸込口を形成する整流板の後端部に、フィルターの前方側上方に突出する突出片を形成した請求項３載のレンジフード。
【請求項５】
トップフードと整流板それぞれに設けられるガイド壁が平行状態で、前記トップフードの下端部と整流板の先端部を前記ガイド壁の直角線上で揃える構成とした請求項１，２，３または４記載のレンジフード。
【請求項６】
整流板の下面と、前記整流板に設けられるガイド壁との間をＲ面形状とした請求項１，２，３，４または５記載のレンジフード。
【請求項７】
トップフードの天面部を後方側に向かい高くなる傾斜面で形成した請求項１，２，３，４，５または６記載のレンジフード。
【請求項８】
フロントパネルの両側にパネル吸込口を設け、このパネル吸込口に対応し本体側板との間に負圧空間が形成されるように仕切板を設けた請求項１記載のレンジフード。
【請求項９】
前面に開口を設け上面等に排気口を形成し、内部に送風機および送風機の吸込口を設けた箱状の本体と、この本体の上部から前方に突出して前記開口の上方を覆うトップフードと、このトップフードの下方の前端部および両側端部との間に隙間を設けて本体吸込口を形成するように設けられる整流板と、この整流板とトップフードそれぞれに設けられる斜め上方の内側に向かうガイド壁と、前記送風機の吸込口の前方に、前記本体の下面から前記整流板に向かい上方が前方に突出するように傾斜し設けられるフロント
パネルと、このフロントパネルと整流板間に形成されるフィルター出入口と、前記本体吸込口と送風機の吸込口間に形成される通風路に配設されるフィルターとを備え、前記フィルターの前方側をフィルター出入口の位置に設け、後方側を前記フィルター出入口より高い位置となるように斜めに配設したレンジフード。
【請求項１０】
本体内に収納されるフィルターをフィルター出入口より出入自在に設けた請求項９記載のレンジフード。
【請求項１１】
フィルターに取手を設け、前記取手をフロントパネルに係脱自在に設けた請求項１０記載のレンジフード。
【請求項１２】
フィルターの取手にフィルターの汚染度を検出する検出手段を設けた請求項１１記載のレンジフード。
【請求項１３】
フロントパネルの両側にパネル吸込口を設け、パネル吸込口に連通する通路を本体側板との間に形成するように仕切板を設け、前記仕切板によってフィルターの上流側と下流側を仕切り、前記フィルターの上流側を前記通路に連通する構成とした請求項１０，１１または１２記載のレンジフード。
【請求項１４】
整流板の後方側端部を支持手段を介して本体に上下方向に回動自在で着脱自在に設けた請求項９記載のレンジフード。
【請求項１５】
フロントパネルの下方部を支持手段を介して本体上下方向に回動自在で着脱自在に設けた請求項９記載のレンジフード。
【請求項１６】
天板と両側板により角ばったほぼ逆Ｕ字状に形成され、前記両側板により支持される支持軸を一端に設けた支持金具と、この支持金具の支持軸に係合するカール状の引掛け部を先端に有し、前記天板下面に摺動自在な摺動板を設けた開閉金具とによりなる支持開閉手段を備え、送風機の吸込口の前方に設けられるフロントパネル前方端部に前記支持金具を設け、本体と分離した整流板の後方端部に前記開閉金具を設け、前記整流板を前記本体に対し前記支持開閉手段を介して着脱自在で開閉自在に構成した請求項１記載のレンジフード。
【請求項１７】
支持金具の天板の下方に開閉金具の摺動板を摺動自在に支持する爪を設けた請求項１６記載のレンジフード。
【請求項１８】
摺動板に引掛け部より距離を隔てて支持金具の支持軸に当接する当接部を設け、前記支持軸に前記当接部が当接したときに支持軸に係合する板ばねを開閉金具に設けた請求項１６または１７記載のレンジフード。
【請求項１９】
支持金具の天板の端部と支持軸間の間隔を、整流板をフロントパネル側に開放したときに開閉金具に設けたカール状の引掛け部が支持軸より離脱できるように形成した請求項１６、１７または１８記載のレンジフード。
【請求項２０】
本体の本体天面の前方端部に上方が開口したＵ字形溝を設け、前記本体の前方端部に結合されるトップフードに前記本体のＵ字形溝に係合する折り曲げ部を設け結合する構成とした請求項１〜１９のいずれかに記載のレンジフード。
【請求項２１】
送風機の前側に吸込口以外を覆うように設けられる本体側前パネルと、前記送風機の下方側を覆う本体側下パネルと、前記本体側前パネルと本体側下パネルのつなぎ目に設けられる前方斜め上方に突出した突出部と、この突出部と前記本体側下パネルに設けられる油流出用の開口と、前記開口より滴下する油滴を受ける油受けとを設けた請求項１〜２０のいずれかに記載のレンジフード。
【請求項２２】
フロントパネルの内面に突出部の上面に油滴を誘導する油誘導部を設けた請求項２１記載のレンジフード。
【請求項２３】
ほぼＬ字状で、本体下部の壁面側に当接する固定部と、この固定部の下端前方に延びる突部と、この突部に本体を保持するために上方に向け設けられる係合部とを設け、前記突部の左右端部に本体形状に合致させる曲げ部を設けた本体固定用掛け金具を用いた請求項１〜２２のいずれかに記載のレンジフード。
【請求項２４】
本体上部を壁面に固定するＬ字状で、壁面側の固定用孔を上部が小さく下部が大きいだるま状に形成した吊り金具を用いた請求項１〜２３のいずれかに記載のレンジフード。
【請求項２５】
本体固定用掛け金具の形状を本体の本体壁面側下端部の外部形状と同形状に形成し、本体壁面側下端部に前記本体固定用掛け金具が埋設される凹部を形成した請求項２３記載のレンジフード。
【請求項２６】
フロントパネルの下方部を外側に膨らむ外側曲面部で形成した請求項１、２、３、４、９、１０、１１、１２、１３、１４、または１５記載のレンジフード。
【請求項２７】
フロントパネルの上方部を内側に膨らむ内側曲面部で形成した請求項１、２、３、４、９、１０、１１、１２、１３、１４、または１５記載のレンジフード。
【発明の詳細な説明】
【０００１】
【発明の属する技術分野】
本発明は調理時にレンジ側から発生し上昇する油煙を屋外へ排出するレンジフードに関する。
【０００２】
【従来の技術】
近年、家庭において調理する機会が多くなり、調理時に発生し上昇する油煙を屋外に排出するレンジフードの普及に伴い、より捕集性および掃除性効果の高いレンジフードに対する要求が高まってきている。
【０００３】
従来、この種のレンジフードとして図４５および図４６に示すものが知られていた。
【０００４】
以下、その構成について図４５および図４６を参照しながら説明する。
【０００５】
図に示すように、側面形状が略逆Ｌ字状をしたフード本体１０１の前方に設けた開口部１０２の下半分に案内板１０３を設け、案内板１０３の上端とフード本体１０１の天板１０１ａにわたりフィルター１０４を設け、フィルター１０４および案内板１０３で囲まれたフード本体１０１内に送風機１０５を内蔵し、案内板１０３の前方にはフィルター１０４の風上側に連通する吸込口１０６を上部側と両側部に形成する遮へい板１０７を傾斜し着脱自在に設けていた。
【０００６】
【発明が解決しようとする課題】
このような従来のレンジフードでは、レンジ（図示せず）上で調理時に発生した油煙が上昇すると、油煙が遮へい板１０７に衝突したのち、両側部と上部側に形成された吸込口１０６に吸込まれることとなるが、両側部に形成される吸込口１０６は傾斜して設けられている遮へい板１０７の両側部に設けられているため、油煙の発生量が多いときには、傾斜した遮へい板１０７に沿いほとんどが急上昇するため、両側部からの吸込量が少なくなり、上昇した油煙の流速が上部側からの吸込流速より大きいので、フード本体１０１外に油煙が拡散され捕集が十分できないという課題があった。
【０００７】
また、油煙により目詰りしたフィルター１０４を掃除するときには、形状の大きな遮へい板１０７を取り外したのち、高所位置に設けられるフィルター１０４を取り外し掃除しなければならないので掃除性が悪いという課題があった。
【０００８】
本発明は、上記課題を解決するもので、調理時に発生する油煙の捕集性の効果を高めることができ、また、掃除性の効果を高めることのできるレンジフードを提供することを目的とする。
【０００９】
【課題を解決するための手段】
本発明のレンジフードにおいては、前面に開口を設け、上面等に排気口を形成した箱状で内部に送風機および送風機の吸込口を設けた本体と、この本体の上部から前方に突出して前記開口の上方を覆うトップフードと、このトップフードの下方の前端部および両側端部との間に隙間を設けて本体吸込口を形成するように設けられる整流板と、前記本体吸込口と送風機の吸込口間に形成される通風路に配設されるフィルターとを備え、前記本体吸込口を形成するトップフードと整流板のうち少なくとも整流板に斜め上方の内側に向かうガイド壁を形成したものである。
【００１０】
この本発明によれば、調理時に発生する油煙の捕集性の効果を高めることができるレンジフードを提供することができる。
【００１１】
【発明の実施の形態】
本発明の請求項１に記載の発明は、前面に開口を設け、上面等に排気口を形成した箱状で内部に送風機および送風機の吸込口を設けた本体と、この本体の上部から前方に突出して前記開口の上方を覆うトップフードと、このトップフードの下方の前端部および両側端部との間に隙間を設けて本体吸込口を形成するように設けられる整流板と、前記本体吸込口と送風機の吸込口間に形成される通風路に配設されるフィルターとを備え、前記本体吸込口を形成するトップフードと整流板のうち少なくとも整流板に形成し斜め上方の内側に向かうガイド壁と、前記送風機の吸込口の前方に、前記本体の下面から前記整流板に向かい上方が前方に突出するように傾斜したフロントパネルとを設けたものであり、調理時に発生し上昇する油煙は、衝突し拡散されることなくフロントパネルに沿い整流板に案内されて、整流板に沿いゆるやかに流れ、本体吸込口を形成するトップフードと整流板に斜め上方の内側に向かうガイド壁によりトップフード内に速やかに吸い込まれ、集煙されることとなり、捕集性の効果を高めることができるという作用を有する。
【００１２】
以下、本発明の実施の形態について、図１〜図４４を参照しながら説明する。
【００１３】
（実施の形態１）
図１に示すように、前面に開口１を設け、上面等に排気口２を形成した箱状で内部に送風機３および送風機の吸込口４を形成した板材５を設け本体６を形成し、本体６の上部から前方に突出して開口１の上方を覆うトップフード７を設け、トップフード７の下方の前端部および両側端部との間に隙間を設けて開口１と連通する本体吸込口８を形成するように整流板９を設け、本体吸込口８と送風機の吸込口４との間に形成される通風路１０にフィルター１１を設け、排気口２には外気の侵入を防止するシャッター１２を設ける。
【００１４】
そして、本体吸込口８を形成するトップフード７と整流板９それぞれに斜め上方の内側に向かうガイド壁１３と１４を形成し、レンジ（図示せず）の上方位置に設けられるように壁部１５に取り付け構成する。
【００１５】
上記構成において、調理時にレンジ側から発生した油煙は上昇し、整流板９の下面に衝突したのち、整流板９に沿い流れ整流板９の前端部と両側端部とトップフード７との間に形成される本体吸込口８に吸い込まれる。このとき、本体吸込口８を形成するトップフード７と整流板９に設けたガイド壁１３と１４によりトップフード７内部に向かう吸込気流が発生し、本体吸込口８の内部に向かう気流の流速が大きくなって速やかに油煙がトップフード７内に吸い込まれ、開口１を通り通風路１０に設けたフィルター１１により油塵が吸着除去されたのち、送風機の吸込口４より送風機３に吸い込まれ排気口２より屋外に排出される。
【００１６】
このように本発明の実施の形態１のレンジフードによれば、本体吸込口８を形成するトップフード７と整流板９それぞれに斜め上方の内側に向かうガイド壁１３と１４を形成したので、本体吸込口８の吸込流速が大きくなり、調理時に発生し、上昇して整流板９に衝突した油煙が速やかに本体吸込口８よりトップフード７内には吸い込まれることとなり、トップフード７の外方に拡散する油煙を無くすようにして集煙性の効果を高めることができることとなる。
【００１７】
（実施の形態２）
図２に示すように、送風機の吸込口４の前方に、本体６Ａの下面から整流板９に向かい上方が前方に突出するように傾斜したフロントパネル１６を設けた構成とする。
【００１８】
上記構成において、調理時に発生した油煙は上昇し、傾斜したフロントパネル１６により案内されて整流板９の下面に送られ本体吸込口８よりトップフード７内に吸い込まれ、フィルター１１により油塵が吸着除去されたのち、送風機の吸込口４に吸い込まれ排出されることとなる。
【００１９】
このように本発明の実施の形態２のレンジフードによれば、送風機の吸込口４の前方に本体６Ａの下面から整流板９に向かい上方が前方に突出するように傾斜したフロントパネル１６を設けたので、上昇してきた油煙は衝突し拡散されることなく、フロントパネル１６に沿い整流板９に案内されることとなり、油煙が本体６Ａ外に拡散されるのが防止され集煙効果を高めることができる。
【００２０】
（実施の形態３）
図３に示すように、フロントパネル１６Ａと整流板９Ａとの間に副吸込口１７を形成し、副吸込口１７の風下側にフィルター１１Ａを前方側が低く、後方側が高くなるように設け、副吸込口１７を形成する整流板９Ａの後端部がフィルター１１Ａのパンチング穴の前方側一部を覆うようにフィルター１１Ａの後方側へ向けて突出した突出片１８を設けた構成とする。
【００２１】
上記構成において、調理時に発生した油煙は上昇し、傾斜したフロントパネル１６Ａにより整流板９Ａ側に案内される。このとき、フロントパネル１６Ａと整流板９Ａ間に形成される副吸込口１７に油煙の一部が吸い込まれ、量が減少された状態の油煙が整流板９Ａの下面に送られることとなり、整流板９Ａの下面に送られた油煙は本体吸込口８よりトップフード７内に吸い込まれ、副吸込口１７に吸い込まれた油煙とともに、フィルター１１Ａにより油塵が吸着除去される。
【００２２】
そして、フィルター１１Ａは副吸込口１７の風下側において、前方側が低く、後方側が高くなるように傾斜して設けられていることにより、フィルター１１Ａに付着した油塵は、フィルター１１Ａの風下側の裏面に回り込み、低くなっているフィルター１１Ａの前方側に下降してフロントパネル１６Ａの内面に滴下することになるので、フィルター１１Ａの目詰りが緩和され、トップフード７内に吸い込まれた油煙がスムーズに流れ、フィルター１１Ａで効率良く油塵の吸着除去ができる。
【００２３】
また、整流板９Ａの後端部がフィルター１１Ａのパンチング穴の前方側一部を覆うようにフィルター１１Ａの後方側へ向けて突出した突出片１８を設けているため、副吸込口１７に吸い込まれる油煙は、突出片１８とフィルター１１Ａによりフィルター１１Ａ上面に向かう斜め上方の気流の発生によってフィルター１１Ａの後方側に送られ、トップフード７側に吸い込まれた油煙との衝突が緩和され、フィルター１１Ａの全面において油煙の吸入ができる。
【００２４】
このように本発明の実施の形態３のレンジフードによればフロントパネル１６Ａと整流板９Ａとの間に副吸込口１７を形成したので、調理時に発生した油煙の一部は副吸込口により吸い込み除去され、残りの油煙が本体吸込口８より吸い込まれることとなり、油煙がトップフード７外に拡散するのが防止され集煙効果が高められる。
【００２５】
また、副吸込口１７の風下側にフィルターを前方側が低く後方側が高くなるように配設したので、フィルター１１Ａの目詰りが緩和され、フィルター１１Ａで油煙を効率良く吸入して集煙効果が高められる。
【００２６】
また、副吸込口１７を形成する整流板９Ａの後端部がフィルター１１Ａのパンチング穴の前方側一部を覆うようにフィルター１１Ａの後方側へ向けて突出した突出片１８を設けたので、副吸込口１７より吸い込まれた油煙がフィルター１１Ａの後方側に送られることとなり、フィルター１１Ａの全面において油煙が効率良く吸入され集煙効果が高められる。
【００２７】
（実施の形態４）
図４および図５に示すように、本体吸込口８Ａを形成するトップフード７Ａと整流板９Ｂそれぞれに設けられるガイド壁１３Ａと１４Ａを平行状態で、トップフード７Ａの下端部１９と整流板９Ｂの先端部２０をガイド壁１３Ａと１４Ａの直角線２１上で揃える。
【００２８】
そして、整流板９Ｂの下面と整流板９Ｂに設けられるガイド壁１４Ａとの間をＲ面２２形状とした構成とする。
【００２９】
上記構成において、油煙が本体吸込口８Ａに吸い込まれるときには、本体吸込口８Ａを形成するガイド壁１３Ａと１４Ａが平行でトップフード７Ａの下端部１９に対し、整流板９Ｂの先端部２０が直角線２１上で揃えられているため、トップフード７Ａの下端部１９より内側に整流板９Ｂの先端部２０が位置することとなり、整流板９Ｂの下面に沿い流れる油煙は、整流板９Ｂの先端部２０より斜め上方へ向けて本体吸込口８Ａに吸い込まれることとなり、トップフード７Ａの下端部１９より外方に拡散されることがなくなるとともに、ガイド壁１３Ａと１４Ａが平行であるため、本体吸込口８Ａの吸気流速が一定状態でトップフード７Ａに吸い込まれることになる。
【００３０】
また、整流板９Ｂの下面と整流板９Ｂに設けられるガイド壁１４Ａとの間をＲ面２２形状としているため、巻き込み角度がＲ面２２形状を設けていないものに比較して大きく滑らかな吸込気流が形成されることとなり、整流板９Ｂの下面に送られてきた油煙がＲ面２２に沿い流れる滑らかな吸込気流によりスムーズに本体吸込口８Ａに吸い込まれる。
【００３１】
このように本発明の実施の形態４のレンジフードによれば、本体吸込口８Ａを形成するように設けられたガイド壁１３Ａと１４Ａを平行状態でトップフード７Ａの下端部１９と整流板９Ｂの先端部２０をガイド壁１３Ａと１４Ａの直角線２１上で揃えたので、油煙は整流板９Ｂの先端部２０より斜め上方へ向けて本体吸込口８Ａに吸い込まれることとなり、トップフード７Ａ外に拡散するのが防止され集煙効果が高められるとともに、本体吸込口８Ａの吸気流速の均一化が図れる。
【００３２】
また、整流板９Ｂの下面とガイド壁１４Ａとの間をＲ面２２形状としたので、滑らかな吸気気流が形成され、本体吸込口８Ａに油煙がスムーズに吸い込まれ集煙効果が高められる。
【００３３】
（実施の形態５）
図６に示すように、トップフード７Ｂの天面部を後方側に向かい高くなる傾斜面２３で形成した構成とする。
【００３４】
上記構成において、整流板９Ｂの下面に送られてきた油煙は、本体吸込口８Ａよりトップフード７Ｂ内に吸い込まれる。このとき、トップフード７Ｂの内部は後方側に向かい広がる形状となっているため、整流板９Ｂの前方側の先端部２０近傍からの吸込風量も増加するとともに、吸い込まれた油煙もトップフード７Ｂ内をスムーズに流れ排出されることとなる。
【００３５】
このように本発明の実施の形態５のレンジフードによれば、トップフード７Ｂの天面部を後方側に向かい高くなる傾斜面で形成したので、トップフード７Ｂ内部の前方側から後方側に向かい気流が流れやすくなり、本体吸込口８Ａより吸い込まれた油煙がスムーズに排出されることとなり集煙効果が高められる。
【００３６】
（実施の形態６）
図７に示すように、フロントパネル１６Ｂの両側にスリット状に開口したパネル吸込口２４を設け、パネル吸込口２４に対応し、本体側板２５との間に負圧空間２６が形成されるように仕切板２７を設けた構成とする。
【００３７】
上記構成において、送風機３が運転されると、本体側板２５と仕切板２７により形成されている空間内部は、上方部が開口されていることにより徐々に負圧状態となる負圧空間２６が形成されフロントパネル１６Ｂに設けたパネル吸込口２４に、調理時に発生し、フロントパネル１６Ｂの両側近傍に向かい上昇してきた油煙が吸い込まれて排出される。
【００３８】
このように本発明の実施の形態６のレンジフードによれば、フロントパネル１６Ｂの両側にパネル吸込口２４を設け、パネル吸込口２４に対応し本体側板２５との間に負圧空間２６が形成されるように仕切板２７を設けたので、フロントパネル１６Ｂの側方に拡散しようとする油煙がパネル吸込口２４に吸い込まれることとなり集煙効果が高められる。
【００３９】
（実施の形態７）
図８〜図１０に示すように、前面に開口１を設け、上面等に排気口２を形成し内部に送風機３および送風機の吸込口４を形成した板材５を設け箱状の本体６Ａを形成し、本体６Ａの上部から前方に突出して開口１の上方を覆うトップフード７を設け、トップフード７の下方の前端部および両側端部との間に隙間を設け、開口１と連通する本体吸込口８を形成するように整流板９Ｃを設け、整流板９Ｃとトップフード７に斜め上方の内側に向かうガイド壁１３と１４を設け、送風機の吸込口４の前方に本体６Ａの下面から整流板９Ｃに向かい上方が前方に突出するように傾斜して設けられるフロントパネル１６Ｃを設け、フロントパネル１６Ｃと整流板９Ｃ間にフィルター出入口２８を設け、本体吸込口８と送風機の吸込口４間に形成される通風路１０に設けられるフィルター１１Ｂを、フィルター１１Ｂの前方側をフィルター出入口２８の位置に設け、後方側をフィルター出入口２８より高い位置となるように斜めに本体６Ａ内に配設されるように設け、フィルター１１Ｂは金属板に多数のパンチング孔を設けて形成し、フィルター１１Ｂにはフィルター出入口２８より出入自在とする取手２９を設け、フィルター１１Ｂをフィルター出入口２８より本体６Ａ内に挿入したときに、取手２９が挿入され係合される係合部３０をフロントパネル１６Ｃの上端部を折り曲げ形成したフィルター１１Ｂの保持部３１に設け構成する。
【００４０】
上記構成において、調理時に発生した油煙は上昇し、傾斜したフロントパネル１６Ｃにより案内されて整流板９Ｃの下面に送られ本体吸込口８よりトップフード７内に吸い込まれフィルター１１Ｂにより油塵が吸着除去されたのち排出される。このとき、フィルター１１Ｂは前方側を低く後方側が高くなるように傾斜していることにより、フィルター１１Ｂに吸着された油塵は下方側となる前方に流れフロントパネル１６Ｃ内に滴下しフロントパネル１６Ｃの下方に捕集されることとなる。
【００４１】
そして、フィルター１１Ｂの汚染度が高まり、フィルター１１Ｂを掃除するときには、フィルター１１Ｂを取手２９を介して保持部３１より離脱し、フィルター出入口２８より容易に引出して洗浄することにより掃除をすることができる。
【００４２】
また、掃除後フィルター１１Ｂをフィルター出入口２８に挿入したときには、フィルター１１Ｂに設けた取手２９をフロントパネル１６Ｃに設けた係合部３０に係合しフィルター１１Ｂの前端部を保持部３１で保持させることによりフィルター１１Ｂを装着することができる。
【００４３】
このように本発明の実施の形態７のレンジフードによれば本体吸込口８と送風機の吸込口４間に形成される通風路１０に設けられるフィルター１１Ｂを、フィルター１１Ｂの前方側をフロントパネル１６Ｃと整流板９Ｃ間に設けられるフィルター出入口２８の位置に設け、後方側をフィルター出入口２８より高い位置となるように斜めに本体６Ａ内に配設したので、フィルター１１Ｂに吸着された油塵はフィルター１１Ｂの前方側に下降し、前方側に設けられるフロントパネル１６Ｃに捕集することができ、フィルター１１Ｂに吸着された油塵が本体６Ａの内方側に向かい移動し、掃除の行いにくい本体６Ａ内部に滴下し付着することが防止され掃除性の効果を高めることができる。
【００４４】
また、本体６Ａ内に収納されるフィルター１１Ｂをフィルター出入口２８より出入自在としたので、フィルター１１Ｂの掃除を容易にすることができる。
【００４５】
また、フィルター１１Ｂに取手２９を設け、取手２９をフロントパネル１６Ｃに設けた係合部３０に係合し、フィルター１１Ｂを保持部３１により保持する構成としたので、フィルター１１Ｂの係脱が容易になり、掃除時の作業性が良くなるとともに、フィルターが所定位置に確実に保持され、油煙の洩れによる本体６Ａ内部の汚染が防止できる。
【００４６】
（実施の形態８）
図１１および図１２に示すように、フィルター１１Ｃに設けられる取手２９Ａに、フィルター１１Ｃを形成するため金属板に設けられた多数のパンチング孔と同様のパンチング孔を設け、フィルター１１Ｃの汚染度を検出する検出手段３２を設ける。
【００４７】
上記構成において、調理時に発生した油煙はフロントパネル１６Ｃに沿い上昇し、本体吸込口８Ａに吸い込まれる。このとき、フロントパネル１６Ｃに沿い上昇した油煙の一部はフィルター出入口２８より露出している取手２９Ａに接触することとなり、フィルター１１Ｃを形成するパンチング孔と同様のパンチング孔により形成した検出手段３２も徐々にパンチング孔の目詰りが生じ変化することとなり、取手２９Ａに設けた検出手段３２によりフィルター１１Ｃの目詰り状態を判断することができる。
【００４８】
このように本発明の実施の形態８のレンジフードによれば、フィルター１１Ｃに設けられる取手２９Ａにフィルター１１Ｃの汚染度を検出する検出手段３２を設けたので、調理時に発生する油煙の一部が常にフィルター１１Ｃに設けた取手２９Ａに接触し、取手２９Ａに設けた検出手段３２によりフィルター１１Ｃの汚染度が検出されることとなり、本体６Ａ内部に収納され、外部からは見ることができないフィルター１１Ｃの汚染度合を知ることができ、フィルター１１Ｃの掃除時期を逃すことがなくなって、フィルター１１Ｃの掃除を的確に行うことができるとともに、フィルター１１Ｃによる油塵の吸着効率の低下を防止できる。
【００４９】
なお、実施の形態８では、検出手段３２をパンチング孔により形成したが油煙が接触することにより徐々に色が変化するものでも良く、要はフィルター１１Ｃの汚染度合が外部から検出できるものであれば良いことはいうまでもない。
【００５０】
（実施の形態９）
図１３に示すように、フロントパネル１６Ｄの両側にパネル吸込口２４Ａを設け、パネル吸込口２４Ａに連通する通路３３を、本体側板２５Ａとの間に形成するように仕切板２７Ａを設け、仕切板２７Ａによってフィルター１１Ｄの上流側３４と下流側３５を仕切り、フィルター１１Ｄの上流側３４を通路３３に連通する構成とする。
【００５１】
上記構成において、レンジフードが運転されると送風機の吸込口４にフィルター１１Ｄの下流側３５の空気が吸い込まれる。このとき、仕切板２７Ａによりフィルター１１Ｄの上流側３４と下流側３５が仕切られているため、上流側３４の空気はフィルター１１Ｄを介して下流側３５に吸い込まれることとなり、上流側３４は通路３３を介してパネル吸込口２４Ａに連通することとなり、パネル吸込口２４Ａより吸い込まれた油煙はフィルター１１Ｄに油塵が吸着除去されたのち、送風機の吸込口４に吸い込まれ排出されることとなる。
【００５２】
このように本発明の実施の形態９のレンジフードによれば、パネル吸込口２４Ａに連通する通路３３を、本体側板２５Ａとの間に形成するように仕切板２７Ａを設け、仕切板２７Ａによってフィルター１１Ｄの上流側３４と下流側３５を仕切り、フィルター１１Ｄの上流側３４を通路３３に連通したので、パネル吸込口２４Ａに吸い込まれる油煙は必ずフィルター１１Ｄを通り油塵が吸着除去されることとなり、パネル吸込口２４Ａから吸い込まれた油煙がそのまま本体６Ａ内に入ることがなくなり、本体６Ａ内が油煙により汚染されるのが防止できる。
【００５３】
（実施の形態１０）
図１４〜図１６に示すように、トップフード７Ｃの下方に設けられる整流板９Ｄの後方側端部３６の両側にほぼＴ字状溝３７を切欠き形成した支持金具３８を設け、整流板９Ｄの後方側端部３６が対応する部分の本体側板２５Ｂに支持金具３８のＴ字状溝３７に係合するピン３９を設け、ピン３９とＴ字状溝３７を有した支持金具３８により支持手段４０を形成した構成とする。
【００５４】
上記構成において、整流板９Ｄを本体６Ａに取り付けるときには、本体側板２５Ｂに設けたピン３９に支持金具３８のＴ字状溝３７の切欠部分を合わせピン３９に嵌挿させ、Ｔ字状溝３７の奥側がピン３９に係合するよう整流板９Ｄを操作し、整流板９Ｄがトップフード７Ｃの下面側に対向するようにピン３９を支点に回動したとき端部が取付面に当接し、整流板９Ｄはピン３９とＴ字状溝３７を有した支持金具３８による支持手段４０により本体６Ａに支持され取り付けられる。
【００５５】
そして、整流板９Ｄおよびトップフード７Ｃを掃除するときには、整流板９Ｄを操作して本体側板２５Ｂに設けたピン３９がＴ字状溝３７に係合している位置をずらし、整流板９Ｄをピン３９を支点に回動して整流板９Ｄの前端部を下方側に下げ整流板９Ｄの内部およびトップフード７Ｃの内部を露出させ掃除をすることができる。また、整流板９Ｄ内に付着した油塵は、整流板９Ｄの前端部を下方側に下げた状態においてガイド壁１４が油受けの役割をするので油塵がこぼれ落ちることはない。
【００５６】
また、整流板９Ｄを取り外し掃除する必要のあるときには、整流板９Ｄに設けた支持金具３８に形成したＴ字状溝３７の切欠部分を本体側板２５Ｂに設けたピン３９に合わせることにより整流板９Ｄを取り外し掃除することができる。
【００５７】
このように本発明の実施の形態１０のレンジフードによれば、整流板９Ｄの後方側端部３６を支持手段４０を介して本体６Ａに回動自在で着脱自在に設けたので、整流板９Ｄが支持手段４０を介して容易に着脱することができ、トップフード７Ｃの内部の掃除もでき、掃除性の効果が高まる。
【００５８】
（実施の形態１１）
図１７〜図１９に示すように、送風機の吸込口４Ａの前方に設けられるフロントパネル１６Ｅの側面下方部４１にＴ字状溝４２を切欠き形成し、フロントパネル１６Ｅの側面下方部４１が対応する本体側板２５ＣにＴ字状溝４２に係合するピン４３を設け、ピン４３とＴ字状溝４２により支持手段４４を形成した構成とする。
【００５９】
上記構成において、フロントパネル１６Ｅを本体６Ａに取り付けるときには、本体側板２５Ｃに設けたピン４３にフロントパネル１６Ｅの側面下方部４１に設けたＴ字状溝４２の切欠部分を合わせピン４３に嵌挿させ、Ｔ字状溝４２の奥側がピン４３に係合するようフロントパネル１６Ｅを操作し、フロントパネル１６Ｅが本体６Ａの送風機の吸込口４Ａに対向するようにピン４３を支点に回動したとき、フロントパネル１６Ｅの両側端部および下端部が本体６Ａの取付面に当接し、フロントパネル１６Ｅはピン４３とＴ字状溝４２による支持手段４４により本体６Ａに支持され取り付けられる。
【００６０】
そして、フロントパネル１６Ｅを掃除するときには、フロントパネル１６Ｅを操作して本体側板２５Ｃに設けたピン４３がＴ字状溝４２に係合している位置をずらし、フロントパネル１６Ｅをピン４３を支点に下方に回動する。このとき、フロントパネル１６Ｅ内に付着した油塵は、フロントパネル１６Ｅの前端部４５を下方側に下げた状態において、この前端部４５が油受けの役割をするので油塵がこぼれ落ちることはない。そして、Ｔ字状溝４２の切欠部分をピン４３に合わせることによりフロントパネル１６Ｅを取り外して掃除することができる。このとき、本体６Ａ内に送風機の吸込口４Ａを形成するために設けられている板材５Ａも露出されるので掃除をすることができる。
【００６１】
このように本発明の実施の形態１１のレンジフードによれば、フロントパネル１６Ｅの下方部を支持手段４４を介して本体６Ａに回動自在で着脱自在に設けたので、フロントパネル１６Ｅが支持手段４４を介して容易に着脱することができ、送風機の吸込口４Ａを形成する板材５Ａもともに掃除することができ、掃除性の効果が高まる。
【００６２】
（実施の形態１２）
図２０〜図２２に示すように、天板４５と両方の側板４６により角ばったほぼ逆Ｕ字状に形成され、両方の側板４６により前方側に支持される支持軸４７を一端に設けた支持金具４８と、この支持金具４８の支持軸４７に係合するカール状の引掛け部４９を先端に有し、天板４５の下面に摺動自在な摺動板５０を設けた開閉金具５１とにより支持開閉手段５２を形成し、送風機吸込口４Ｂの前方に設けられるフロントパネル１６Ｆの前方端部５３に支持金具４８を支持軸４７が前方に配設されるように設け、本体６Ｂと分離したトップフード７Ｄの下方に設けられる整流板９Ｅの後方端部５４に摺動板５０が後方側に露出するように開閉金具５１を取り付け構成する。
【００６３】
上記構成において、整流板９Ｅを本体６Ｂ側に取り付けるときには、整流板９Ｅをフロントパネル１６Ｆ側に倒した状態で、整流板９Ｅに設けた開閉金具５１の摺動板５０の端部に設けた引掛け部４９をフロントパネル１６Ｆの前方端部５３に設けた支持金具４８の支持軸４７に係合し、整流板９Ｅをトップフード７Ｄ側に起こし、摺動板５０を支持金具４８の天板４５の下方に挿入し、摺動板５０を天板４５の下面と支持軸４７で支えるように支持金具４８で支持し整流板９Ｅを本体６Ｂに取り付ける。
【００６４】
また、掃除時等において、整流板９Ｅを取り外すときには、整流板９Ｅを前方に移動し、開閉金具５１の摺動板５０を前方に引き出し、摺動板５０に設けた引掛け部４９が支持軸４７に係合した時点で、整流板９Ｅをフロントパネル１６Ｆ側に移動し、上方に持ち上げることにより支持軸４７より引掛け部４９が離脱して整流板９Ｅを取り外すことができる。
【００６５】
このように本発明の実施の形態１２のレンジフードによれば、天板４５と両方の側板４６により形成され一端に支持軸４７を設けた支持金具４８と、支持軸４７に係合する引掛け部４９を有し、天板４５の下面に摺動自在に摺動板５０を設けた開閉金具５１とにより支持開閉手段５２を形成し、整流板９Ｅを取り付けているので、整流板９Ｅの着脱を容易に行うことができ、掃除性が向上する。
【００６６】
（実施の形態１３）
図２３および図２４に示すように、支持金具４８Ａの側板４６Ａの一部を内側に向かい切り起こし、天板４５Ａの下方に摺動される開閉金具５１の摺動板５０の下面を摺動自在に支持する爪５５を設ける。
【００６７】
上記構成において、開閉金具５１の摺動板５０は、支持金具４８Ａの天板４５Ａと爪５５間に摺動自在に支持され、開閉金具５１を介して整流板（図示せず）が安定した状態で確実に支持できる。
【００６８】
このように本発明の実施の形態１３のレンジフードによれば、支持金具４８Ａの天板４５Ａの下方に開閉金具５１の摺動板５０を摺動自在に支持する爪５５を設けたので、整流板に取り付けられた開閉金具５１の摺動板５０が支持金具４８Ａの天板４５Ａと爪５５間に支持され、整流板の着脱時の前後移動をスムーズに行うことができるとともに、摺動板５０の上下方向の支持が強固となり、整流板を安定した状態に取り付けることができる。
【００６９】
（実施の形態１４）
図２５および図２６に示すように、開閉金具５１Ａに設けた摺動板５０Ａの引掛け部４９より距離を隔てた摺動端位置に、支持金具４８に設けた支持軸４７が当接する当接部５６を設け、当接部５６が支持軸４７に当接したときに、支持軸４７に係合し保持される板ばね５７を介在させ、整流板９Ｅに設けられた固定台座５８に開閉金具５１Ａを取り付け構成する。
【００７０】
上記構成において、整流板９Ｅを取り付けるために整流板９Ｅを移動すると、整流板９Ｅに設けた開閉金具５１Ａの摺動板５０Ａがフロントパネル（図示せず）の前方端部に設けた支持金具４８に摺動して移動し、摺動板５０Ａに設けた当接部５６が支持金具４８の支持軸４７に当接したとき、開閉金具５１Ａに設けた板ばね５７が支持軸４７に係合し、板ばね５７を介して開閉金具５１Ａが支持金具４８に保持され、開閉金具５１Ａを設けた整流板９Ｅが取り付けられる。
【００７１】
このように本発明の実施の形態１４のレンジフードによれば、摺動板５０Ａに引掛け部４９より距離を隔てて支持金具４８の支持軸４７に当接する当接部５６を設け、支持軸４７に当接部５６が当接したときに、支持軸４７に係合する板ばね５７を開閉金具５１Ａに設けたので、整流板９Ｅの取付時に、整流板９Ｅを移動し整流板９Ｅが取り付けられる状態となり、支持金具４８の支持軸４７に開閉金具５１Ａの当接部５６が当接すると支持軸４７が当接部５６と板ばね５７により保持されて整流板９Ｅの抜け止めとなるとともに、整流板９Ｅが正確に装着されたことを知る装着感を得ることができる。
【００７２】
（実施の形態１５）
図２７〜図２９に示すように、支持金具４８Ｂの天板４５Ｂの端部５９と支持軸４７間の間隔Ａを、整流板９Ｅをフロントパネル１６Ｆ側に開放し、支持金具４８Ｂの天板４５Ｂと開閉金具５１が鋭角状になったときに、開閉金具５１に設けた引掛け部４９が離脱できるように、天板４５Ｂの端部５９を開閉金具５１が鋭角状態以外の状態では引掛け部４９の端部が重合するように、形成して構成する。
【００７３】
上記構成において、掃除時等で整流板９Ｅを取り外すときに、整流板９Ｅに設けた開閉金具５１のカール状の引掛け部４９を支持金具４８Ｂに設けた支持軸４７に係合して回動するとき、支持金具４８Ｂの天板４５Ｂに対し開閉金具５１が鋭角状に傾かないと開閉金具５１が支持金具４８Ｂより離脱できなく、整流板９Ｅが垂直状態に下げられているときには、開閉金具５１の引掛け部４９が、支持金具４８Ｂに設けられた天板４５Ｂの端部５９に重合し、端部５９が邪魔となり上方に向け支持軸４７より引掛け部４９を離脱することができない状態となる。
【００７４】
このように本発明の実施の形態１５のレンジフードによれば、支持金具４８Ｂの天板４５Ｂの端部５９と支持軸４７間の間隔Ａを、整流板９Ｅをフロントパネル１６Ｆ側に傾けたときに、開閉金具５１に設けた引掛け部４９が支持軸４７より離脱できるように形成したので、掃除時等において、整流板９Ｅを取り外すときに手が滑って整流板９Ｅが垂直状態となっても、整流板９Ｅに設けた開閉金具５１が支持金具４８Ｂより離脱し、整流板９Ｅが落下するのを防止することができる。
【００７５】
（実施の形態１６）
図３０および図３１に示すように、本体６Ｃの本体天面６０の前方端部に上方が開口したＵ字形溝６１を設け、本体６Ｃの前方端部に結合されるトップフード７Ｅに、本体６Ｃに設けたＵ字形溝６１に係合するＵ字状の折り曲げ部６２および、本体６Ｃに結合するフランジ６３を設け構成する。
【００７６】
上記構成において、本体６Ｃにトップフード７Ｅを結合するときには、本体６Ｃの本体天面６０に設けたＵ字形溝６１に、トップフード７Ｅに設けた折り曲げ部６２を係合し、トップフード７Ｅに設けたフランジ６３を本体６Ｃにねじ等により結合する。
【００７７】
このように本発明の実施の形態１６のレンジフードによれば、本体６Ｃの本体天面６０の前方端部に上方に開口したＵ字状溝６１を設け、本体６Ｃの前方端部に結合されるトップフード７Ｅに、本体６Ｃに設けたＵ字状溝６１に係合する折り曲げ部６２を設けたので、本体６Ｃとトップフード７Ｅ間に隙間が生じることがなくなり、風漏れが防止できるとともに、上下方向のがたつきを防止することができる。
【００７８】
（実施の形態１７）
図３２〜図３６に示すように、本体６Ｄ内に設けられる送風機３の前方の送風機吸込口４Ｄ以外を覆うように本体側前パネル６４を設け、送風機３の下方側を覆う本体側下パネル６５を設け、本体側前パネル６４と本体側下パネル６５のつなぎ目に前方斜め上方に突出した突出部６６を設け、突出部６６と本体側下パネル６５に油流出用の開口６７を設け、開口６７より滴下する油滴６８を受ける油受け６９をフロントパネル１６Ｇより出し入れ自在に設ける。
【００７９】
また、フロントパネル１６Ｇの内面に、フロントパネル１６Ｇの内面を伝って下降する油滴６８を突出部６６の上面に誘導する油誘導部７０を設け構成する。
【００８０】
上記構成において、本体６Ｄ内に設けた本体側前パネル６４に付着した油滴６８が下降すると突出部６６に設けた開口６７より、本体側下パネル６５に滴下し、本体側下パネル６５の開口６７より、油受け６９内に滴下して回収される。
【００８１】
また、フロントパネル１６Ｇの内面に伝って下降する油滴６８はフロントパネル１６Ｇの内面に設けた油誘導部７０により突出部６６上に誘導され、本体側前パネル６４に付着した油滴６８とともに油受け６９に回収される。
【００８２】
このように本発明の実施の形態１７のレンジフードによれば、本体６Ｄ内の送風機の吸込口４Ｂ以外を覆う本体側前パネル６４と送風機３の下側を覆う本体側下パネル６５のつなぎ目に設けられる前方斜め上方に突出する突出部６６と、本体側下パネル６５に油流出用の開口６７とを設け、開口６７より滴下する油滴６８を受ける油受け６９を設けたので、本体側前パネル６４に付着した油滴６８を油受け６９に回収することができるとともに、本体側前パネル６４と本体側下パネル６５により送風機３部分が覆われるので、送風機３部分の汚染するのが防止できる。
【００８３】
また、フロントパネル１６Ｇの内面に突出部６６の上面に油滴６８を誘導する油誘導部７０を設けたので、フロントパネル１６Ｇの内面に付着した油滴６８を油誘導部７０により突出部６６の上面に誘導し、油受け６９に回収することができる。
【００８４】
（実施の形態１８）
図３７〜図３９に示すように、ほぼＬ字状で、本体６Ｅの下部の壁面側に当接する固定部７１と、固定部７１の下端前方に延びる突部７２と、突部７２に本体６Ｅを保持するために上方に向け設けられる係合部７３とを設け、突部７２の左右端部に本体６Ｅの形状に合致させる曲げ部７４を設けた本体固定用掛け金具７５を用いて本体６Ｅの下方部を支持するように壁面７６に設ける。
【００８５】
また、本体６Ｅの上部に設けられ、本体６Ｅの上部を壁面７６に固定するＬ字状で壁面側の固定用孔７７を上部が小さく、下部が大きいだるま状に形成した吊り金具７８を用いて本体６Ｅの上部を取り付けるように構成する。
【００８６】
上記構成において、本体６Ｅを壁面７６に取り付けるときには、本体６Ｅの下方部を支持する本体固定用掛け金具７５の固定部７１を壁面７６に取り付け、本体６Ｅの下方部を本体固定用掛け金具７１の係合部７３に係合して本体６Ｅを支持することができる。
【００８７】
また、本体６Ｅの上部に設けた吊り金具７８のだるま状の固定用孔７７の上部側の小さい孔側にねじ７７を挿入して螺合し取り付ける。
【００８８】
そして、本体６Ｅを壁面７６より取り外すときには、ねじ７９をゆるめ本体６Ｅを上方に持ち上げることにより、壁面７６に取り付けられたねじ７９が固定用孔７７の下部の大きな孔側に合致し、ねじ７９より吊り金具７８を離脱し、本体固定用掛け金具７５より本体６Ｅの下方部を抜き去ることにより本体６Ｅを壁面７６より取り外すことができる。
【００８９】
このように本発明の実施の形態１８のレンジフードによれば、ほぼＬ字状で、本体６Ｅの下部の壁面側に当接する固定部７１の下端前方に延びる突部７２に、本体６Ｅを保持するために上方に向け設けられる係合部７３を設け、突部７２の左右端部に、本体６Ｅの形状に合致する曲げ部７４を設けた本体固定用掛け金具７５を用いたので、壁面７６に取り付ける本体６Ｅの下方部を支持することができ、本体６Ｅの下方部を支持した状態で、本体６Ｅの上部側を壁面７６に取り付けることが可能となり、一人でも本体６Ｅの取り付け施工を容易に行うことができる。
【００９０】
また、壁面７６に固定するＬ字状で、壁面側の固定用孔７７を、上部が小さく下部が大きいだるま状に形成した吊り金具７８を用いて、本体６Ｅの上部を壁面７６に取り付けるので、メンテナンス時等においては、ねじ７９をゆるめ本体６Ｅを上に持ち上げるだけで、本体６Ｅの上部の固定が外れるとともに、本体固定用掛け金具７５からも同時に取り外すことができ、本体６Ｅの取り外し作業が容易となる。
【００９１】
（実施の形態１９）
図４０および図４１に示すように、本体固定用掛け金具７５Ａの形状を本体６Ｅの本体壁面側下端部８０の外部形状と同形状に形成し、本体壁面側下端部８０に、本体固定用掛け金具７５Ａが埋設されるように本体固定用金具７５Ａの板厚に対応する凹部８１を形成した構成とする。
【００９２】
上記構成において、本体６Ｅを壁面７６に取り付けるときには、壁面７６に本体固定用掛け金具７５Ａを取り付け、本体６Ｅの本体壁面側端部８０に設けた凹部８１を本体固定用掛け金具７５Ａに掛けることにより、本体固定用掛け金具７５Ａが凹部８１内に埋設された状態で本体６Ｅの下方部は支持され、一方、本体６Ｅの上方部は吊り金具７８により壁面７６に取り付けられる。
【００９３】
このように本発明の実施の形態１９のレンジフードによれば、本体固定用掛け金具７５Ａの形状を本体６Ｅの本体壁面側下端部８０の外部形状と同形状に形成し、本体壁面側下端部８０に本体固定用掛け金具７５Ａが埋設される凹部８１を形成したので、壁面７６に取り付けた本体固定用掛け金具７５Ａに、本体６Ｅの本体壁面側下端部に設けた凹部８１を係合することにより、本体６Ｅが支持されるとともに、本体固定用掛け金具７５Ａが凹部８１内に埋設されることにより、本体壁面側下端部に露出するねじや開口等が隠され、また、本体固定用掛け金具７５Ａが本体６Ｅと面一状に一体化状態となることにより、体裁も良くなりインテリア性を高めることができる。
【００９４】
（実施の形態２０）
図４２に示すように、フロントパネル１６Ｈの下方部を外側に向け膨らむ外側曲面部８２で形成した構成とする。
【００９５】
上記構成において、コンロ等から発生し上昇した油煙８３がフロントパネル１６Ｈの外側曲面部８２に衝突すると、油煙８３は外側曲面部８２に沿い前方側に流れ、フロントパネル１６Ｈの傾斜面に沿い上方に案内されることとなり、フロントパネル１６Ｈの両端側に油煙８３が拡散されにくくなり、吸込口（図示せず）に誘導される。
【００９６】
このように本発明の実施の形態２０のレンジフードによれば、フロントパネル１６Ｈの下方部を外側に膨らむ外側曲面部８２により形成したので、コンロ等から上昇した油煙８３は外側曲面部８２により前方に案内されて吸込口に誘導されることとなり、フロントパネル１６Ｈの両側に油煙８３が拡散するのが防止でき、油煙８３の捕集効率を高めることができる。
【００９７】
（実施の形態２１）
図４３および図４４に示すように、フロントパネル１６Ｉの上方部を内側に膨らむ内側曲面部８４で形成した構成とする。
【００９８】
上記構成において、コンロ等から上昇した油煙が外側曲面部８２により前方側に案内されたのち、傾斜面が立つように形成される内側曲面部８４により、油煙は上昇力が高まりながら内側曲面部８４に沿い上昇し、整流板９Ｅとトップフード７Ｄ間に形成された本体吸込口８Ｂに誘導される。
【００９９】
このように本発明の実施の形態２１のレンジフードによれば、フロントパネル１６Ｉの上方部を内側に膨らむ内側曲面部８４で形成したので、フロントパネル１６Ｉに沿い上昇した油煙は、傾斜面が立つように形成された内側曲面部８４により、油煙の上昇力が高まり、フロントパネル１６Ｉの両側に油煙が拡散するのが防止されるとともに、スムーズに本体吸込口８Ｂに誘導され油煙の捕集効率を高めることができる。
【０１００】
【発明の効果】
以上の実施の形態から明らかなように、本発明によれば前面に開口を設け、上面等に排気口を形成した箱状で内部に送風機および送風機の吸込口を設けた本体と、この本体の上部から前方に突出して前記開口の上方を覆うトップフードと、このトップフードの下方の前端部および両側端部との間に隙間を設け、本体吸込口を形成するように設けられる整流板と、前記本体吸込口と送風機の吸込口間に形成される通風路に配設されるフィルターとを備え、前記本体吸込口を形成するトップフードと整流板のうち少なくとも整流板に形成し斜め上方の内側に向かうガイド壁と、前記送風機の吸込口の前方に、前記本体の下面から前記整流板に向かい上方が前方に突出するように傾斜したフロントパネルとを設けたので、調理時に発生し上昇する油煙は、衝突し拡散されることなくフロントパネルに沿い整流板に案内され、そして、整流板に沿いゆるやかに流れ、ガイド壁によりトップフード内に速やかに吸い込まれ、油煙は本体外に拡散するのが防止され、油煙の捕集性の効果を高めることができるレンジフードを提供できる。
【０１０２】
また、フロントパネルと整流板との間に副吸込口を形成したので、本体吸込口に吸い込まれる油煙量を少なくして、トップフード外に拡散されるのが防止され油煙の捕集効果が高められる。
【０１０３】
また、副吸込口の風下側に、フィルターを前方側が低く後方側が高くなるように配設したので、油煙をフィルターで効率良く吸収して集煙効果が高められる。
【０１０４】
また、副吸込口を形成する整流板の後端部に、フィルターの前方側上方に突出する突出片を形成したので、フィルターにおける油煙の捕集効果が高められる。
【０１０５】
また、トップフードと整流板に設けられるガイド壁が平行状態で、前記トップフードの下端部と整流板の先端部を前記ガイド壁の直角線上で揃えるので、油煙がトップフード外に拡散するのが防止され集煙効果が高められる。
【０１０６】
また、整流板の下面と、前記整流板に設けられるガイド壁との間をＲ面形状としたので、滑らかな吸気気流が形成され、集煙効果が高められる。
【０１０７】
また、トップフードの天面部を後方側に向かい高くなる傾斜面で形成したので、トップフード内の気流の流れがスムーズとなり集煙効果が高められる。
【０１０８】
また、フロントパネルの両側にパネル吸込口を設け、このパネル吸込口に対応し本体側板との間に負圧空間が形成されるように仕切板を設けたので、フロントパネル側方に拡散しようとする油煙を捕集することができ、集煙効果が高められる。
【０１０９】
また、前面に開口を設け上面等に排気口を形成し、内部に送風機および送風機の吸込口を設けた本体と、この本体の上部から前方に突出して前記開口の上方を覆うトップフードと、このトップフードの下方の前端部および両側端部との間に隙間を設け、本体吸込口を形成するように設けられる整流板と、この整流板とトップフードに設けられる斜め上方の内側に向かうガイド壁と、前記送風機の吸込口の前方に前記本体の下面から前記整流板に向かい上方が前方に突出するように傾斜し設けられるフロントパネルと、このフロントパネルと整流板間に形成されるフィルター出入口と、前記本体吸込口と送風機の吸込口間に形成される通風路に配設されるフィルターとを備え、前記フィルターの前方側をフィルター出入口の位置に設け、後方側を前記フィルター出入口より高い位置となるように斜めに配設したので、掃除の行いにくい本体内部に油塵が滴下し付着することが防止され、掃除性の効果を高めることができる。
【０１１０】
また、本体内に収納されるフィルターをフィルター出入口より出入自在に設けたので、フィルターの掃除性が向上する。
【０１１１】
また、フィルターに取手を設け、前記取手をフロントパネルに係脱自在に設けたので、フィルターの係脱が容易となり、掃除時の作業性が良くなる。
【０１１２】
また、フィルターの取手にフィルターの汚染度を検出する検出手段を設けたので、外部から見ることのできないフィルターの汚染度合を知ることができ、フィルターの掃除を的確に行うことができる。
【０１１３】
また、フロントパネルの両側にパネル吸込口を設け、パネル吸込口に連通する通路を本体側板との間に形成するように仕切板を設け、前記仕切板によってフィルターの上流側と下流側を仕切り、前記フィルターの上流側を前記通路に連通する構成としたので、本体内が油煙により汚染されるのが防止できる。
【０１１４】
また、整流板の後方側端部を支持手段を介して本体に上下方向に回動自在で着脱自在に設けたので、整流板を簡単に取り外し掃除することができる。
【０１１５】
また、フロントパネルの下方部を支持手段を介して本体に上下方向に回動自在で着脱自在に設けたので、フロントパネルを簡単に取り外し掃除することができる。
【０１１６】
また、天板と両側板により角ばったほぼ逆Ｌ字状に形成され、前記両側板により支持される支持軸を一端に設けた支持金具と、この支持金具の支持軸に係合するカール状の引掛け部を先端に有し、前記天板下面に摺動自在な摺動板を設けた開閉金具とによりなる支持開閉手段を備え、送風機の吸込口の前方に設けられるフロントパネル前方端部に前記支持金具を設け、本体と分離した整流板の後方端部に前記開閉金具を設け、前記整流板を前記支持開閉手段を介して着脱自在で開閉自在に構成したので、整流板の着脱を容易に行うことができ掃除性が向上する。
【０１１７】
また、支持金具の天板の下方に開閉金具の摺動板を摺動自在に支持する爪を設けたので、取り付けられた整流板の上下方向の移動が制限され整流板の清掃時などにおける安定感も増すことができる。
【０１１８】
また、摺動板に引掛け部より距離を隔てて支持金具の支持軸に当接する当接部を設け、前記支持軸に当接部が当接したときに支持軸に係合する板ばねを開閉金具に設けたので、整流板の挿入が完了したことを知らせる装着感が得られるとともに、整流板の抜け止めを行うことができる。
【０１１９】
また、支持金具の天板の端部と支持軸間の間隔を、整流板をフロントパネル側に開放したときに、開閉金具に設けたカール状の引掛け部が支持軸より離脱できるように形成したので、整流板の着脱時に手が滑っても急に整流板が落下することがなくなる。
【０１２０】
また、本体天面の前方端部に、上方が開口したＵ字形溝を設け、前記本体の前方端部に結合されるトップフードに、前記本体のＵ字形溝に係合する折り曲げ部を設け結合したので、本体とトップフード間の隙間がなくなり風漏れが防止できるとともに、トップフードの上下方向のがたつきも防止できる。
【０１２１】
また、送風機の前側に吸込口以外を覆うように設ける本体側前パネルと、前記送風機の下方側を覆う本体側下パネルと、前記本体側前パネルと本体側下パネルのつなぎ目に設けられる前方斜め上方に突出した突出部と、この突出部と前記本体側下パネルに設けられる油流出用の開口と、前記開口より滴下する油滴を受ける油受けを設けたので、本体側前パネルに付着した油滴をスムーズに回収することができる。
【０１２２】
また、フロントパネルの内面に突出部の上面に油滴を誘導する油誘導部を設けたので、フロントパネルの内面に付着した油滴を回収することができる。
【０１２３】
また、ほぼＬ字状で、本体下部の壁面側に当接する固定部と、この固定部の下端前方に延びる突部と、この突部に本体を保持するために上方に向け設けられる係合部とを設け、前記突部の左右端部に本体形状に合致させる曲げ部を設けた本体固定用掛け金具を用いたので、一人でも本体を容易に壁面に取り付けることができる。
【０１２４】
また、本体上部を壁面に固定するＬ字状で、壁面側の固定用孔を上部が小さく下部が大きいだるま状に形成した吊り金具を用いたので、本体の取り外しが容易にできる。
【０１２５】
また、本体固定用掛け金具の形状を本体の本体壁面側端部の外部形状と同形状に形成し、本体壁面側下端部に前記本体固定用掛け金具が埋設される凹部を形成したので、本体壁面側端部にねじや開口があっても本体固定用掛け金具によって隠すことができ、また、本体固定用掛け金具が埋設され本体と一体化されることにより、見栄えを良くすることができる。
【０１２６】
また、フロントパネルの下方部を外側に膨らむ外側曲面部で形成したので、コンロ等から上昇した油煙がフロントパネルの両端側に拡散されるのが防止される。
【０１２７】
また、フロントパネルの上方部を内側に膨らむ内側曲面部で形成したので、コンロ等から上昇した油煙がフロントパネルの両端側に拡散されるのが防止され、スムーズに本体吸込口に誘導することができ、油煙の捕集効率を高めることができる。
【図面の簡単な説明】
【図１】本発明の実施の形態１のレンジフードの構成を示す断面図
【図２】本発明の実施の形態２のレンジフードの構成を示す断面図
【図３】本発明の実施の形態３のレンジフードの構成を示す断面図
【図４】本発明の実施の形態４のレンジフードの本体吸込口部分の構成を示す断面図
【図５】同レンジフードの整流板の構成を示す断面図
【図６】本発明の実施の形態５のレンジフードのトップフードの構成を示す断面図
【図７】本発明の実施の形態６のレンジフードの構成を示す斜視図
【図８】本発明の実施の形態７のレンジフードの構成を示す断面図
【図９】同レンジフードのフィルターを取り付けるときの状態を示す概略斜視図
【図１０】同レンジフードのフィルターを保持した状態を示す概略斜視図
【図１１】本発明の実施の形態８のレンジフードの構成を示す断面図
【図１２】同レンジフードのフィルターの概略正面図
【図１３】本発明の実施の形態９のレンジフードのパネル吸込口近傍の構成を示す拡大斜視図
【図１４】本発明の実施の形態１０のレンジフードの運転時の状態を示す斜視図
【図１５】同レンジフードの整流板の着脱時の状態を示す斜視図
【図１６】同レンジフードの整流板を支持する支持手段の構成を示す概略斜視図
【図１７】本発明の実施の形態１１のレンジフードの運転時の状態を示す斜視図
【図１８】同レンジフードのフロントパネルの着脱時の状態を示す斜視図
【図１９】同レンジフードのフロントパネルを支持する支持手段の構成を示す概略斜視図
【図２０】本発明の実施の形態１２のレンジフードの整流板の支持開閉手段を示す分解斜視図
【図２１】同レンジフードの整流板の着脱時の状態を示す断面図
【図２２】同レンジフードの整流板を開放した状態を示す斜視図
【図２３】本発明の実施の形態１３のレンジフードの支持金具の斜視図
【図２４】同レンジフードの支持金具と開閉金具の関係を示す断面図
【図２５】本発明の実施の形態１４のレンジフードの開閉金具の分解斜視図
【図２６】同レンジフードの支持金具と開閉金具の関係を示す断面図
【図２７】本発明の実施の形態１５のレンジフードの開閉金具が取り外せない状態を示す断面図
【図２８】同レンジフードの開閉金具が取り外せる状態を示す断面図
【図２９】同レンジフードの整流板を取り外し時の状態を示す断面図
【図３０】本発明の実施の形態１６のレンジフードの本体とトップフードの結合部分を示す斜視図
【図３１】同レンジフードの本体とトップフードの結合状態を示す斜視図
【図３２】本発明の実施の形態１７のレンジフードの断面図
【図３３】同レンジフードの油滴を回収する状態を示す部分断面図
【図３４】同レンジフードの本体の概略斜視図
【図３５】同レンジフードの突出部の構成を示す部分斜視図
【図３６】同レンジフードの斜視図
【図３７】本発明の実施の形態１８のレンジフードの本体固定用掛け金具の斜視図
【図３８】同レンジフードの壁面に取り付け時の状態を示す断面図
【図３９】同レンジフードの吊り金具の斜視図
【図４０】本発明の実施の形態１９のレンジフードの壁面に取り付け時の状態を示す断面図
【図４１】同レンジフードの壁面に取り付けた状態を示す断面図
【図４２】本発明の実施の形態２０のレンジフードの本体部分の概略斜視図
【図４３】本発明の実施の形態２１のレンジフードの本体部分の概略斜視図
【図４４】同レンジフードの断面図
【図４５】従来のレンジフードの断面図
【図４６】同レンジフードの正面図
【符号の説明】
１        開口
２        排気口
３        送風機
４        送風機の吸込口
４Ａ      送風機の吸込口
４Ｂ      送風機の吸込口
６        本体
６Ａ      本体
６Ｂ      本体
６Ｃ      本体
６Ｄ      本体
６Ｅ      本体
７        トップフード
７Ａ      トップフード
７Ｂ      トップフード
７Ｃ      トップフード
７Ｅ      トップフード
８        本体吸込口
８Ａ      本体吸込口
９        整流板
９Ａ      整流板
９Ｂ      整流板
９Ｃ      整流板
９Ｄ      整流板
９Ｅ      整流板
１０      通風路
１１      フィルター
１１Ａ    フィルター
１１Ｂ    フィルター
１１Ｃ    フィルター
１１Ｄ    フィルター
１３      ガイド壁
１３Ａ    ガイド壁
１４      ガイド壁
１４Ａ    ガイド壁
１６      フロントパネル
１６Ａ    フロントパネル
１６Ｂ    フロントパネル
１６Ｃ    フロントパネル
１６Ｄ    フロントパネル
１６Ｅ    フロントパネル
１６Ｆ    フロントパネル
１６Ｇ    フロントパネル
１６Ｈ    フロントパネル
１６Ｉ    フロントパネル
１７      副吸込口
１８      突出片
１９      下端部
２０      先端部
２１      直角線
２２      Ｒ面
２３      傾斜面
２４      パネル吸込口
２４Ａ    パネル吸込口
２５      本体側板
２５Ａ    本体側板
２６      負圧空間
２７      仕切板
２７Ａ    仕切板
２８      フィルター出入口
２９      取手
２９Ａ    取手
３０      係合部
３２      検出手段
３３      通路
３４      上流側
３５      下流側
３６      後方側端部
４０      支持手段
４１      側面下方部
４４      支持手段
４５      天板
４５Ａ    天板
４５Ｂ    天板
４６      側板
４７      支持軸
４８      支持金具
４８Ａ    支持金具
４８Ｂ    支持金具
４９      引掛け金具
５０      摺動板
５０Ａ    摺動板
５１      開閉金具
５１Ａ    開閉金具
５２      支持開閉手段
５５      爪
５６      当接部
５７      板ばね
５９      端部
６０      本体天面
６１      Ｕ字形溝
６２      折り曲げ部
６３      フランジ
６４      本体側前パネル
６５      本体側下パネル
６６      突出部
６７      開口
６８      油滴
６９      油受け
７０      油誘導部
７１      固定部
７２      突部
７３      係合部
７４      曲げ部
７５      本体固定用掛け金具
７５Ａ    本体固定用掛け金具
７６      壁面
７８      吊り金具
８０      本体壁面側下端部
８１      凹部
８２      外側曲面部
８３      油煙
８４      内側曲面部
【図１】
0003656007.tif 000002
【図２】
0003656007.tif 000003
【図３】
0003656007.tif 000004
【図４】
0003656007.tif 000005
【図５】
0003656007.tif 000006
【図６】
0003656007.tif 000007
【図７】
0003656007.tif 000008
【図８】
0003656007.tif 000009
【図９】
0003656007.tif 000010
【図１０】
0003656007.tif 000011
【図１１】
0003656007.tif 000012
【図１２】
0003656007.tif 000013
【図１３】
0003656007.tif 000014
【図１４】
0003656007.tif 000015
【図１５】
0003656007.tif 000016
【図１６】
0003656007.tif 000017
【図１７】
0003656007.tif 000018
【図１８】
0003656007.tif 000019
【図１９】
0003656007.tif 000020
【図２０】
0003656007.tif 000021
【図２１】
0003656007.tif 000022
【図２２】
0003656007.tif 000023
【図２３】
0003656007.tif 000024
【図２４】
0003656007.tif 000025
【図２５】
0003656007.tif 000026
【図２６】
0003656007.tif 000027
【図２７】
0003656007.tif 000028
【図２８】
0003656007.tif 000029
【図２９】
0003656007.tif 000030
【図３０】
0003656007.tif 000031
【図３１】
0003656007.tif 000032
【図３２】
0003656007.tif 000033
【図３３】
0003656007.tif 000034
【図３４】
0003656007.tif 000035
【図３５】
0003656007.tif 000036
【図３６】
0003656007.tif 000037
【図３７】
0003656007.tif 000038
【図３８】
0003656007.tif 000039
【図３９】
0003656007.tif 000040
【図４０】
0003656007.tif 000041
【図４１】
0003656007.tif 000042
【図４２】
0003656007.tif 000043
【図４３】
0003656007.tif 000044
【図４４】
0003656007.tif 000045
【図４５】
0003656007.tif 000046
【図４６】
0003656007.tif 000047